(57)【特許請求の範囲】
【請求項１】
再生対象となる複数の楽曲のデータが個別に蓄積された蓄積手段と、前記蓄積手段にデータが蓄積された前記楽曲の再生を行う楽曲再生手段とを個別に備える複数の音楽再生装置を有する音楽再生システムにおいて、
前記複数の音楽再生装置のそれぞれは、
自装置に含まれる前記楽曲再生手段による楽曲の再生が行われたときに、再生終了時における楽曲の再生順番を示す楽曲再生情報を生成する楽曲再生情報生成手段と、
前記楽曲再生情報生成手段によって生成された前記楽曲再生情報を、自装置と一あるいは複数の他装置との間で共有する楽曲再生情報共有手段と、
共有された前記楽曲再生情報に基づいて、前記楽曲再生手段によって次に再生される楽曲を選択する楽曲選択手段と、を備え、
前記複数の音楽再生装置のそれぞれに含まれる前記蓄積手段には、同じ楽曲のデータが同じ順番で蓄積されており、
前記楽曲再生情報には、最後に再生された楽曲の特定情報が含まれており、
前記楽曲選択手段は、前記特定情報に基づいて、前記蓄積手段に蓄積された次の再生順番の楽曲を選択することを特徴とする音楽再生システム。
【請求項２】
再生対象となる複数の楽曲のデータが個別に蓄積された蓄積手段と、前記蓄積手段にデータが蓄積された前記楽曲の再生を行う楽曲再生手段とを個別に備える複数の音楽再生装置を有する音楽再生システムにおいて、
前記複数の音楽再生装置のそれぞれは、
自装置に含まれる前記楽曲再生手段による楽曲の再生が行われたときに、再生終了時における楽曲の再生順番を示す楽曲再生情報を生成する楽曲再生情報生成手段と、
前記楽曲再生情報生成手段によって生成された前記楽曲再生情報を、自装置と一あるいは複数の他装置との間で共有する楽曲再生情報共有手段と、
共有された前記楽曲再生情報に基づいて、前記楽曲再生手段によって次に再生される楽曲を選択する楽曲選択手段と、を備え、
前記楽曲再生情報には、それまでに再生された楽曲の履歴情報が含まれており、
前記楽曲選択手段は、前記履歴情報によって特定される楽曲と重複しない楽曲を次の再生対象の楽曲として選択することを特徴とする音楽再生システム。
【請求項３】
請求項１または２において、
前記楽曲再生情報共有手段は、前記複数の音楽再生装置のそれぞれに設けられた楽曲再生情報格納手段と、前記複数の音楽再生装置を相互に接続する通信手段であり、
自装置に含まれる前記楽曲再生情報生成手段によって前記楽曲再生情報が生成されたときに、前記通信手段を用いて他装置に向けて前記楽曲再生情報を送信することにより、自装置および他装置に含まれる前記楽曲再生情報格納手段に共通の前記楽曲再生情報を格納し、
前記楽曲選択手段は、前記楽曲再生情報格納手段に格納された前記楽曲再生情報を取得することを特徴とする音楽再生システム。
【請求項４】
請求項１または２において、
前記楽曲再生情報共有手段は、前記複数の音楽再生装置以外に設けられた楽曲再生情報格納手段が備わった携帯端末装置と、この携帯端末装置と前記複数の音楽再生装置のそれぞれとの間を接続する通信手段であり、
自装置に含まれる前記楽曲再生情報生成手段によって前記楽曲再生情報が生成されたときに、前記通信手段を用いて前記携帯端末装置に前記楽曲再生情報を送信することにより、前記楽曲再生情報格納手段に前記楽曲再生情報を格納し、
自装置に含まれる前記楽曲再生情報生成手段による楽曲の再生を行うときに、前記楽曲選択手段は、前記携帯端末装置内の前記楽曲再生情報格納手段に格納されている前記楽曲再生情報を、前記通信手段を用いて取得することを特徴とする音楽再生システム。
【請求項５】
請求項１または２において、
前記楽曲再生情報共有手段は、前記楽曲再生情報が格納される搬送可能な記憶デバイスと、前記複数の音楽再生装置のそれぞれに設けられて前記記憶デバイスに対して前記楽曲再生情報の入出力を行う入出力手段であり、
自装置に含まれる前記楽曲再生情報生成手段によって前記楽曲再生情報が生成されたときに、前記入出力手段によって前記記憶デバイスに前記楽曲再生情報を書き込み、
自装置に含まれる前記楽曲再生情報生成手段による楽曲の再生を行うときに、前記楽曲選択手段は、前記楽曲再生情報を前記入出力手段によって前記記憶デバイスから読み出して取得することを特徴とする音楽再生システム。
【請求項６】
請求項１〜５のいずれかにおいて、
前記楽曲再生情報には、前記楽曲再生手段における再生終了時における楽曲の再生順番の他に、再生が中断された楽曲内の中断位置情報が含まれており、
前記楽曲選択手段は、前記楽曲再生手段によって次に再生される楽曲を選択するとともに、前記中断位置情報に基づいて再生開始位置を特定することを特徴とする音楽再生システム。
【請求項７】
請求項１〜５のいずれかにおいて、
前記楽曲再生情報には、前記楽曲再生手段における再生状態情報が含まれており、
前記楽曲再生情報に基づいて次に楽曲の再生を行う前記楽曲再生手段は、前記再生状態情報に基づいて再生状態の設定を行うことを特徴とする音楽再生システム。
【発明の詳細な説明】
【０００１】
【発明の属する技術分野】
本発明は、ハードディスク装置や各種の半導体メモリ等の記録媒体に格納された楽曲データを用いて音楽再生を行う音楽再生装置および音楽再生システムに関する。
【０００２】
【従来の技術】
近年、ハードディスク装置や各種の半導体メモリ等の記録媒体に格納された楽曲データを用いて、音楽再生を行う音楽再生装置が普及し始めている。このような音楽再生装置は、音楽再生専用に特化した装置の他にも、ハードディスク装置を備えたパーソナルコンピュータや車載用コンピュータ（例えば、ナビゲーション装置など）を用いて、所定の動作プログラムを実行するという形態で実現されている場合も多い。
【０００３】
また、最近ではハードディスク装置等の記録媒体の低価格化が進み、容量の大きな（例えば、数十〜数百ギガバイト）ハードディスク装置がパーソナルコンピュータ等の各種装置に備えられるようになっている。例えば、１００ギガバイトのハードディスク装置に楽曲データを格納する場合を考えると、ＣＤ等に記録されるものと同様の非圧縮楽曲データであれば、１曲当たりのデータ量を５０メガバイトとすると、２００曲分の楽曲データを格納することができる。また、ＭＰ３（ＭＰＥＧ１オーディオレイヤ３）などの規格に基づいて圧縮された圧縮楽曲データであれば、１曲当たりのデータ量を５メガバイトとすると、２０００曲分の楽曲データを格納することができる。利用者は、自宅などに設置されたパーソナルコンピュータや車載用コンピュータなどを用いて、ハードディスク装置等に格納された楽曲データを再生して音楽鑑賞を楽しむことができる。
【０００４】
【発明が解決しようとする課題】
ところで、多数の楽曲に対応する楽曲データが複数の音楽再生装置にそれぞれ格納されるようになると、一の音楽再生装置（例えば、自宅に設置された音楽再生装置）で既に再生済みの楽曲を他の音楽再生装置（例えば、車両に設置された音楽再生装置）で重複して再生しないようにするためには、それぞれの音楽再生装置において、楽曲再生を行わせる際にその都度選曲操作を行うことが必要となるので、操作が煩雑となり不便であるという問題があった。
【０００５】
本発明は、このような点に鑑みて創作されたものであり、その目的は、煩雑な操作を行うことなく、再生済みの楽曲を重複させずに楽曲再生を行うことができる音楽再生装置および音楽再生システムを提供することにある。
【０００６】
【課題を解決するための手段】
上述した課題を解決するために、本発明の音楽再生装置は、再生対象となる複数の楽曲のデータを蓄積手段により蓄積し、この蓄積手段にデータが蓄積された楽曲の再生を楽曲再生手段により行っている。そして、自装置に含まれる楽曲再生手段による楽曲の再生が行われたときに、再生終了時における楽曲の再生順番を示す楽曲再生情報を楽曲再生情報生成手段により生成し、この楽曲再生情報を楽曲再生情報共有手段によって自装置と一あるいは複数の他装置との間で共有しており、共有された楽曲再生情報に基づいて、楽曲再生手段によって次に再生される楽曲を楽曲選択手段により選択している。
【０００７】
また、本発明の音楽再生システムは、再生対象となる複数の楽曲のデータが個別に蓄積された蓄積手段と、前記蓄積手段にデータが蓄積された前記楽曲の再生を行う楽曲再生手段とを個別に備える複数の音楽再生装置を有している。そして、複数の音楽再生装置のそれぞれは、自装置に含まれる前記楽曲再生手段による楽曲の再生が行われたときに、再生終了時における楽曲の再生順番を示す楽曲再生情報を楽曲再生情報生成手段によって生成し、この楽曲再生情報を楽曲再生情報共有手段によって自装置と一あるいは複数の他装置との間で共有しており、共有された楽曲再生情報に基づいて、楽曲再生手段によって次に再生される楽曲を楽曲選択手段により選択している。
【０００８】
再生終了時における楽曲の再生順番を示す楽曲再生情報を自装置と他装置との間で共有しており、この楽曲再生情報に基づいて次に再生される楽曲を選択しているので、煩雑な操作を行うことなく、再生済みの楽曲を重複させずに楽曲再生を行うことができる。
【０００９】
上述した複数の音楽再生装置のそれぞれに含まれる蓄積手段に、同じ楽曲のデータが同じ順番で蓄積されている場合には、最後に再生された楽曲の特定情報を楽曲再生情報に含ませておき、この楽曲再生情報に含まれる特定情報に基づいて、楽曲選択手段により、蓄積手段に蓄積された次の再生順番の楽曲を選択することが望ましい。これにより、複数の音楽再生装置のいずれを用いて楽曲再生を行っても、蓄積手段に蓄積された楽曲をその再生順番に従って再生させることができる。
【００１０】
また、それまでに再生された楽曲の履歴情報を楽曲再生情報に含ませておき、楽曲選択手段により、履歴情報によって特定される楽曲と重複しない楽曲を次の再生対象の楽曲として選択することが望ましい。これにより、蓄積手段に蓄積されている楽曲のデータの格納順番や内容そのものが異なっている場合にも、他の音楽再生装置で再生された楽曲が重複しないように楽曲再生を行うことができる。また、楽曲の再生順番をランダムに設定する、いわゆるランダム再生が行われている場合にも、一の音楽再生装置において既に再生された楽曲が重複しないように、他の音楽再生装置における楽曲再生を行うことができる。
【００１１】
上述した楽曲再生情報共有手段は、複数の音楽再生装置のそれぞれに設けられた楽曲再生情報格納手段と、複数の音楽再生装置を相互に接続する通信手段から構成されることが望ましい。そして、自装置に含まれる楽曲再生情報生成手段によって楽曲再生情報が生成されたときに、通信手段を用いて他装置に向けて楽曲再生情報を送信することにより、自装置および他装置に含まれる楽曲再生情報格納手段に共通の楽曲再生情報を格納しておき、楽曲選択手段は、楽曲再生情報格納手段に格納された楽曲再生情報を取得することが望ましい。複数の音楽再生装置の間を通信手段を介して相互接続することにより、楽曲再生情報の共有を容易かつ確実に行うことができる。
【００１２】
上述した楽曲再生情報共有手段は、複数の音楽再生装置以外に設けられた楽曲再生情報格納手段が備わった携帯端末装置と、この携帯端末装置と複数の音楽再生装置のそれぞれとの間を接続する通信手段から構成されることが望ましい。そして、自装置に含まれる楽曲再生情報生成手段によって楽曲再生情報が生成されたときに、通信手段を用いて携帯端末装置に楽曲再生情報を送信することにより楽曲再生情報格納手段に前記楽曲再生情報を格納しておき、自装置に含まれる楽曲再生情報生成手段による楽曲の再生を行うときに、楽曲選択手段は、通信手段を用いて、携帯端末装置内の楽曲再生情報格納手段に格納されている楽曲再生情報を取得することが望ましい。利用者が日常的に携帯している移動体電話等の携帯端末装置を利用することにより、楽曲再生情報の共有を容易かつ低コストに行うことができる。
【００１３】
上述した楽曲再生情報共有手段は、楽曲再生情報が格納される搬送可能な記憶デバイスと、複数の音楽再生装置のそれぞれに設けられて記憶デバイスに対して楽曲再生情報の入出力を行う入出力手段から構成されることが望ましい。そして、自装置に含まれる楽曲再生情報生成手段によって楽曲再生情報が生成されたときに、入出力手段によって記憶デバイスに楽曲再生情報を書き込み、自装置に含まれる楽曲再生情報生成手段による楽曲の再生を行うときに、楽曲選択手段は、楽曲再生情報を入出力手段によって記憶デバイスから読み出して取得することが望ましい。これにより、搬送可能な記憶デバイスを用いて、楽曲再生情報の共有を行うことができる。また、通信手段を介して行う場合に比較して、通信料金などのコスト負担が少ない利点がある。
【００１４】
また、上述した楽曲再生情報に、楽曲再生手段における再生終了時における楽曲の再生順番の他に、再生が中断された楽曲内の中断位置情報を含ませておき、楽曲選択手段は、楽曲再生手段によって次に再生される楽曲を選択するとともに、中断位置情報に基づいて再生開始位置を特定することが望ましい。これにより、再生中の楽曲の途中で聴取を中断し、後にその楽曲の聴取を再び開始したときに、その楽曲の最初から再生を再開するのではなく、特別な操作を行うことなく中断した位置から引き続いて楽曲の聴取を行うことができる。この効果は、クラシックなど１曲の演奏時間が長い楽曲を再生している場合に特に有効である。
【００１５】
また、上述した楽曲再生情報に、楽曲再生手段における再生状態情報を含ませておき、楽曲再生手段は、楽曲再生情報に基づいて次に楽曲の再生を行うときに、再生状態情報に基づいて再生状態の設定を行うことが望ましい。再生状態情報としては、例えば、イコライザの設定状態などが考えられる。このような再生状態を楽曲再生情報に含ませておくことにより、再生状態の設定を複数の音楽再生装置のそれぞれに対して個別に行うことなく、同じ環境で楽曲の再生を行うことが可能になる。用いる音楽再生装置を変えた場合でも、イコライザの状態などの細かい設定を個別に行う煩雑な操作を省くことができ、操作性の向上が可能であるという利点がある。
【００１６】
【発明の実施の形態】
以下、本発明を適用した一実施形態の音楽再生システムについて、図面を参照しながら説明する。
〔第１の実施形態〕
図１は、第１の実施形態の音楽再生システムの構成を示す図である。図１に示す音楽再生システムは、音楽再生装置１、２、３と移動体電話４を含んで構成されている。音楽再生装置１、２、３のそれぞれと移動体電話４との間は所定の無線通信を介して相互に接続可能となっている。
【００１７】
音楽再生装置１、２、３は、それぞれ再生対象となる複数の楽曲のデータ（以後、「楽曲データ」と称する）を内部のハードディスク装置に蓄積しており、この蓄積された楽曲データを用いて楽曲の再生を行う。
また、これらの音楽再生装置１、２、３は、それぞれ異なる場所に設置されている。例えば、音楽再生装置１は、利用者の自宅に設置されたパーソナルコンピュータを用いて、所定の動作プログラムを実行することによりその機能が実現されている。また、音楽再生装置２は、利用者の使用する車両に設置された車載用コンピュータ（例えば、ナビゲーション装置等）を用いて、所定の動作プログラムを実行することによりその機能が実現されている。また、音楽再生装置３は、利用者の職場等に設置されたパーソナルコンピュータを用いて、所定の動作プログラムを実行することによりその機能が実現されている。また、本実施形態の音楽再生装置１等は、近距離（例えば、数メートル）の無線通信を行い、移動体電話４との間でデータを送受する機能を備えている。音楽再生装置１等の詳細構成については後述する。
【００１８】
移動体電話４は、利用者が通話相手と通話を行うためのものであり、広く普及している携帯電話やＰＨＳ（Personal Handyphone System）などにより実現される。また、本実施形態の移動体電話４は、近距離（例えば、数メートル以内）の無線通信を行い、音楽再生装置１等との間でデータを送受する機能を備えている。移動体電話４の詳細構成については後述する。
【００１９】
次に、音楽再生装置１の詳細構成について説明する。図２は、第１の実施形態の音楽再生装置１の詳細構成を示す図である。図２に示すように、音楽再生装置１は、制御部１０、ハードディスク（ＨＤ）装置１１、操作部１２、表示部１３、スピーカ１５、無線通信処理部１６、アンテナ１７を含んで構成されている。なお、他の音楽再生装置２、３も音楽再生装置１と同様の構成を備えており、詳細な説明を省略する。
【００２０】
制御部１０は、音楽再生装置１の全体動作を制御するものであり、再生処理部７０、楽曲再生情報生成部７１、楽曲選択部７２を備えている。この制御部１０は、ＣＰＵ、ＲＯＭ、ＲＡＭ等を用いて所定の動作プログラムを実行することにより実現される。
【００２１】
再生処理部７０は、ハードディスク装置１１に格納された楽曲データを読み出して楽曲の再生を行い、楽曲に対応する音声信号をスピーカ１５に出力する。
楽曲再生情報生成部７１は、再生処理部７０による楽曲の再生が行われたときに、再生終了時における楽曲の再生順番を示す楽曲再生情報を生成し、移動体電話４へ送信する処理を行う。この楽曲再生情報生成部７１によって生成される楽曲再生情報には、再生処理部７０により最後に再生された楽曲を特定する特定情報が含まれている。また、楽曲再生情報生成部７１によって生成される楽曲再生情報は、各音楽再生装置１、２、３の間で共有されるようになっている。楽曲再生情報を共有する方法の詳細については後述する。
【００２２】
楽曲選択部７２は、自装置（音楽再生装置１）と複数の他装置（音楽再生装置２、３）との間で共有されている楽曲再生情報に基づいて、再生処理部７０によって次に再生される楽曲を選択する。
ハードディスク装置１１は、記録媒体としてのハードディスクを内部に備えており、再生対象となる複数（例えば、数百〜数千）の楽曲に対応する楽曲データを格納している。本実施形態では、音楽再生装置１に備わったハードディスク装置１１と、他の音楽再生装置２、３のそれぞれに備わったハードディスク装置１１に対して、同じ楽曲に対応する楽曲データが同じ順番で蓄積されている。
【００２３】
操作部１２は、各種の操作キーを備えており、操作内容に応じた信号を制御部１０に出力する。例えば、パーソナルコンピュータを用いて実現される音楽再生装置１および３においては、操作部１２は、アルファベットキーやテンキー等の操作キーを備えたキーボードや、画面上のポインタを移動させて任意位置を指定するためのポインティングデバイスなどを含んで構成される。また、車載用コンピュータを用いて実現される音楽再生装置２においては、操作部１２は、リモートコントロール（リモコン）ユニットやタッチパネルなどにより構成される。
【００２４】
表示部１３は、制御部１０から出力される画像信号に基づいて、画像表示を行う。スピーカ１５は、制御部１０から出力される音声信号に基づいて、楽曲の再生音を出力する。
無線通信処理部１６は、アンテナ１７が接続されており、所定の無線通信規格に従って、移動体電話４との間でデータを送受するための通信処理を行う。本実施形態では、２．４ＧＨｚ帯の電波を用いて、比較的短い距離内（数メートル程度）で通信を行う「ブルートゥース（Bluetooth ）（登録商標）」と称される無線通信規格を用いてデータの送受を行うものとする。
【００２５】
次に、移動体電話４の詳細構成について説明する。図３は、移動体電話４の詳細構成を示す図である。図３に示す移動体電話４は、制御部４０、通話処理部４１、アンテナ４２、４７、操作部４３、表示部４４、メモリ４５、無線通信処理部４６、マイクロホン４８、スピーカ４９を含んで構成されている。
【００２６】
制御部４０は、移動体電話４の全体動作を制御するものであり、楽曲再生情報管理部８０を備えている。楽曲再生情報管理部８０は、音楽再生装置１等から送信される楽曲再生情報をメモリ４５に格納する処理や、移動体電話４の周囲に存在する音楽再生装置１等に対して、メモリ４５に格納された楽曲再生情報を読み出して送信する処理などを行う。
【００２７】
通話処理部４１は、アンテナ４２が接続されており、通話を行うための各種処理を行う。具体的には、通話処理部４１は、外部の基地局から送られてくる電波をアンテナ４２によって受信し、これを復調して音声信号を生成してスピーカ４９に出力する処理や、マイクロホン４８から出力される音声信号に対して変調処理を行って、外部の基地局へ送信するための電波をアンテナ４２から出力する処理などを行う。
【００２８】
操作部４３は、各種の操作キーを備えており、操作内容に応じた信号を制御部４０に出力する。表示部４４は、制御部４０から出力される画像信号に基づいて画像表示を行う。
メモリ４５は、無線通信を利用して音楽再生装置１等から受け取った楽曲再生情報などを格納する。
【００２９】
無線通信処理部４６は、アンテナ４７が接続されており、所定の無線通信規格に従って、音楽再生装置１等との間でデータを送受するための通信処理を行う。上述したように本実施形態では、ブルートゥースと称される無線通信規格を用いてデータの送受が行われるものとする。
【００３０】
マイクロホン４８は、利用者の発声した音声を集音してアナログの音声信号に変換し、制御部４０に出力する。スピーカ４９は、制御部４０から出力される音声信号に基づいて、通話相手の音声を出力する。
上述したハードディスク装置１１が蓄積手段に、スピーカ１５、再生処理部７０が楽曲再生手段に、楽曲再生情報生成部７１が楽曲再生情報生成手段に、楽曲選択部７２が楽曲選択手段にそれぞれ対応している。また、移動体電話４が携帯端末装置に、メモリ４５が楽曲再生情報格納手段に、無線通信処理部１６、４６、アンテナ１７、４７が通信手段にそれぞれ対応している。
【００３１】
本実施形態の音楽再生システムはこのような構成を有しており、次にその動作について説明する。ここでは、例えば、利用者が自宅に設置されている音楽再生装置１を用いた楽曲再生を終了し、その後車両に搭乗し、車両に設置されている音楽再生装置２を用いて楽曲再生を開始する場合を想定して以下の説明を行うが、音楽再生装置１を用いた楽曲再生を終了し、その後音楽再生装置３を用いて楽曲再生を開始する場合でも同様である。
【００３２】
図４は、楽曲再生を終了する際の音楽再生システムの動作手順を示す流れ図である。音楽再生装置１内の再生処理部７０は、楽曲再生を行っている際に（ステップ１００）、楽曲再生を終了する旨の操作指示が入力されたか否かを判定する（ステップ１０１）。楽曲再生を終了する旨の操作指示が入力されない間は否定判断が行われ、上述したステップ１００に戻り、楽曲再生が継続される。
【００３３】
楽曲再生を終了する旨の操作指示が入力されると、ステップ１０１で肯定判断が行われ、再生処理部７０は、楽曲再生を終了する。また、楽曲再生情報生成部７１は、楽曲再生情報を生成し、移動体電話４に向けて送信する処理を行う（ステップ１０２）。具体的には、楽曲再生情報生成部７１は、生成した楽曲再生情報を無線通信処理部１６へ出力する。無線通信処理部１６は、楽曲再生情報生成部７１から受け取った楽曲再生情報を移動体電話４へ送信する。
【００３４】
音楽再生装置１から楽曲再生情報が送信されると、移動体電話４内の無線通信処理部４６は、この楽曲再生情報を受信し、楽曲再生情報管理部８０へ出力する。楽曲再生情報管理部８０は、無線通信処理部４６から受け取った楽曲再生情報をメモリ４５へ格納する（ステップ１０３）。
【００３５】
上述した一連の手順により、利用者の自宅に設置された音楽再生装置１において楽曲再生を終了したときの楽曲の再生順番を示す楽曲再生情報が移動体電話４へ送られて格納されることになる。
図５は、楽曲再生情報に基づいて楽曲再生を開始する際の音楽再生システムの動作手順を示す流れ図である。
【００３６】
移動体電話４が音楽再生装置２の周辺に移動すると、移動体電話４内の楽曲再生情報管理部８０は、楽曲再生情報をメモリ４５から読み出して、これを音楽再生装置２に向けて送信する処理を行う（ステップ２００）。具体的には、楽曲再生情報管理部８０は、楽曲再生情報をメモリ４５から読み出し、これを無線通信処理部４６へ出力する。無線通信処理部４６は、楽曲再生情報管理部８０から受け取った楽曲再生情報を音楽再生装置２へ送信する。
【００３７】
移動体電話４から楽曲再生情報が送信されると、音楽再生装置２内の無線通信処理部１６は、この楽曲再生情報を受信し（ステップ２０１）、制御部１０へ出力する。
制御部１０内の楽曲選択部７２は、楽曲再生の開始が指示されたか否かを判定する（ステップ２０２）。楽曲再生の開始が指示されない間は否定判断が行われ、ステップ２０２の判定が繰り返される。
【００３８】
楽曲再生の開始が指示された場合には、ステップ２０２で肯定判断が行われ、楽曲選択部７２は、移動体電話４から送られた楽曲再生情報に含まれる特定情報に基づいて、次の再生順番の楽曲を選択する（ステップ２０３）。例えば、特定情報に基づいて特定される楽曲の再生順番が７５０番であったとすると、楽曲選択部７２は、再生順番が７５１番の楽曲を選択する。
【００３９】
次に、再生処理部７０は、楽曲選択部７２によって選択された楽曲に対応する楽曲データをハードディスク装置１１から読み出して、楽曲再生を開始する（ステップ２０４）。
このように、第１の実施形態の音楽再生システムは、移動体電話４を介して、再生終了時における楽曲の再生順番を示す楽曲再生情報を音楽再生装置１、２、３の間で共有しており、この楽曲再生情報に基づいて次に再生される楽曲を選択しているので、煩雑な操作を行うことなく、再生済みの楽曲を重複させずに楽曲再生を行うことができる。
【００４０】
特に、複数の音楽再生装置１、２、３のそれぞれに含まれるハードディスク装置１１に対して同じ楽曲のデータを同じ順番で蓄積しており、最後に再生された楽曲を特定する特定情報を含んだ楽曲再生情報を生成し、この楽曲再生情報に含まれる特定情報に基づいて、次の再生順番の楽曲を選択しているので、複数の音楽再生装置のいずれを用いて楽曲再生を行っても、ハードディスク装置１１に蓄積された楽曲をその再生順番に従って再生させることができる。
【００４１】
また、利用者が日常的に携帯している移動体電話等の携帯端末装置を利用して楽曲再生情報の共有を実現しているので、楽曲再生情報の共有を容易かつ低コストに行うことができる。
〔第２の実施形態〕
上述した第１の実施形態では、各音楽再生装置１、２、３に備わった各ハードディスク装置１１に対して、同じ楽曲データが同じ順番で蓄積されていたが、各ハードディスク装置１１に蓄積されている楽曲データの内容や格納順番が異なっている場合であっても本発明を適用することができる。以下、各音楽再生装置１、２、３に備わった各ハードディスク装置１１に蓄積されている楽曲データの内容や格納順番が異なっている場合の音楽再生システムについて説明を行う。
【００４２】
第２の実施形態の音楽再生システムの全体構成および各音楽再生装置１、２、３の構成は、上述した図１および図２に示す第１の実施形態の場合と同様であり、各音楽再生装置１、２、３に含まれる楽曲再生情報生成部７１および楽曲選択部７２の動作内容が若干異なっている。
【００４３】
具体的には、楽曲再生情報生成部７１は、再生処理部７０による楽曲再生動作が行われているときに、それまでに再生された楽曲を特定する履歴情報を生成し、ハードディスク装置１１に格納する処理を行う。また、楽曲再生情報生成部７１は、再生処理部７０による楽曲再生が終了したときに、履歴情報を含む楽曲再生情報を生成し、移動体電話４へ送信する処理を行う。
【００４４】
楽曲選択部７２は、自装置（例えば、音楽再生装置１）と複数の他装置（例えば、音楽再生装置２、３）との間で共有されている楽曲再生情報に基づいて、履歴情報により特定される楽曲、すなわち、既に再生済みの楽曲と重複しない楽曲を再生処理部７０による次の再生対象として選択する。
【００４５】
次に、第２の実施形態の音楽再生システムの動作手順について説明する。ここでは、例えば、利用者が自宅に設置されている音楽再生装置１を用いた楽曲再生を終了し、その後車両に搭乗し、車両に設置されている音楽再生装置２を用いて楽曲再生を開始する場合を想定して説明を行うが、音楽再生装置１を用いた楽曲再生を終了し、その後、音楽再生装置３を用いて楽曲再生を開始する場合も基本的な動作は同様である。
【００４６】
図６は、楽曲再生を終了する際の音楽再生システムの動作手順を示す流れ図である。図６に示す動作手順は、基本的に上述した第１の実施形態の場合（図４参照）と同様であり、ステップ１００とステップ１０１の間にステップ１１０の処理を追加した点が異なっている。
【００４７】
音楽再生装置１内の再生処理部７０により、楽曲再生が行われている際に（ステップ１００）、楽曲再生情報生成部７１は、それまでに再生された楽曲を特定する履歴情報を生成し、ハードディスク装置１１に格納する（ステップ１１０）。具体的には、各楽曲に所定の通し番号が付加されている場合であれば、再生済みの楽曲に対応する通し番号が履歴情報として抽出される。また、各楽曲に対応する楽曲データにそれぞれ固有の識別情報（例えば、楽曲名やアーティスト名などの情報）が含まれている場合であれば、それらの識別情報が履歴情報として抽出される。
【００４８】
また、再生処理部７０は、楽曲再生を終了する旨の操作指示が入力されたか否かを判定する（ステップ１０１）。楽曲再生を終了する旨の操作指示が入力されない間は否定判断が行われ、上述したステップ１００に戻り、楽曲再生が継続されるとともに、この楽曲再生に伴って履歴情報の内容が更新される。
【００４９】
楽曲再生を終了する旨の操作指示が入力されると、ステップ１０１で肯定判断が行われ、再生処理部７０は、楽曲再生を終了する。また、楽曲再生情報生成部７１は、ハードディスク装置１１から履歴情報を読み出して、この履歴情報を含んだ楽曲再生情報を生成し、移動体電話４に送信する処理を行う（ステップ１０２）。
【００５０】
音楽再生装置１から楽曲再生情報が送信されると、移動体電話４内の無線通信処理部４６は、この楽曲再生情報を受信し、楽曲再生情報管理部８０へ出力する。楽曲再生情報管理部８０は、無線通信処理部４６から受け取った楽曲再生情報をメモリ４５へ格納する（ステップ１０３）。
【００５１】
図７は、楽曲再生情報に基づいて楽曲再生を開始する際の音楽再生システムの動作手順を示す流れ図である。図７に示す動作手順は、基本的に上述した第１の実施形態の場合（図５参照）と同様であり、ステップ２０３の処理がステップ２１０に置き換えられた点が異なっている。
【００５２】
移動体電話４内の楽曲再生情報管理部８０は、楽曲再生情報をメモリ４５から読み出して、これを音楽再生装置２に向けて送信する処理を行う（ステップ２００）。
移動体電話４から楽曲再生情報が送信されると、音楽再生装置２内の無線通信処理部１６は、この楽曲再生情報を受信し（ステップ２０１）、制御部１０へ出力する。
【００５３】
制御部１０内の楽曲選択部７２は、楽曲再生の開始が指示されたか否かを判定する（ステップ２０２）。楽曲再生の開始が指示されない間は否定判断が行われ、ステップ２０２の判定が繰り返される。
楽曲再生の開始が指示された場合には、ステップ２０２で肯定判断が行われ、楽曲選択部７２は、移動体電話４から送られた楽曲再生情報に含まれる履歴情報に基づいて、他の音楽再生装置において既に再生済みの楽曲と重複しない楽曲（未再生の楽曲）を再生処理部７０による次の再生対象として選択する（ステップ２１０）。
【００５４】
次に、再生処理部７０は、楽曲選択部７２によって選択された楽曲に対応する楽曲データをハードディスク装置１１から読み出して、楽曲再生を開始する（ステップ２０４）。
このように、第２の実施形態の音楽再生システムは、それまでに再生された楽曲の履歴情報を含んだ楽曲再生情報を生成しており、履歴情報によって特定される楽曲と重複しない楽曲を次の再生対象の楽曲として選択しているので、ハードディスク装置１１に蓄積されている楽曲のデータの格納順番や内容そのものが異なっている場合にも、他の音楽再生装置、あるいは自装置で既に再生された楽曲と重複しないように再生対象の楽曲を選択し、楽曲再生を行うことができる。また、楽曲の再生順番をランダムに設定する、いわゆるランダム再生が行われている場合であっても、一の音楽再生装置で既に再生された楽曲が重複しないようにして、他の音楽再生装置による楽曲再生を行うことができる。
【００５５】
〔第３の実施形態〕
上述した第１および第２の実施形態では、移動体電話４を介して各音楽再生装置１、２、３の間で楽曲再生情報を共有していたが、所定のネットワークを介して各音楽再生装置１、２、３の間を相互に接続し、楽曲再生情報を共有してもよい。
【００５６】
図８は、第３の実施形態の音楽再生システムの構成を示す図である。図８に示す音楽再生システムは、音楽再生装置１Ａ、２Ａ、３Ａとネットワーク５を含んで構成されている。各音楽再生装置１Ａ、２Ａ、３Ａは、所定のネットワーク５を介して相互に接続されており、このネットワーク５を介して楽曲再生情報を共有している。
【００５７】
次に、音楽再生装置１Ａの詳細構成について説明する。図９は、第３の実施形態の音楽再生装置１Ａの詳細構成を示す図である。図９に示すように、音楽再生装置１Ａは、制御部１０、ハードディスク（ＨＤ）装置１１、操作部１２、表示部１３、スピーカ１５、通信処理部１８を含んで構成されている。なお、他の音楽再生装置２Ａ、３Ａも音楽再生装置１Ａと同様の構成を備えているものとする。
【００５８】
図９に示す音楽再生装置１Ａは、上述した第１の実施形態の音楽再生装置１と比較し、無線通信処理部１６およびアンテナ１７を省略し、所定のネットワーク５を介したデータ通信を行うための通信処理部１８を追加した点が異なっている。この通信処理部１８とネットワーク５が各音楽再生装置１Ａ、２Ａ、３Ａを相互に接続する通信手段に対応している。
【００５９】
また、本実施形態では、一の音楽再生装置に含まれる楽曲再生情報生成部７１によって生成される楽曲再生情報は、他の音楽再生装置に向けて送信されるとともに、ハードディスク装置１１内の所定の格納領域に格納される。第３の実施形態では、ハードディスク装置１１が、各音楽再生装置１Ａ、２Ａ、３Ａのそれぞれに設けられた楽曲再生情報格納手段に対応している。
【００６０】
第３の実施形態の音楽再生システムはこのような構成を有しており、次にその動作について説明する。第３の実施形態においても、利用者が自宅に設置されている音楽再生装置１を用いた楽曲再生を終了し、その後車両に搭乗し、車両に設置されている音楽再生装置２を用いて楽曲再生を開始する場合を想定して説明を行う。また、第１の実施形態と同様に、各音楽再生装置１Ａ、２Ａ、３Ａに備わったハードディスク装置１１には同じ楽曲データが同じ順番で蓄積されており、楽曲再生情報生成部７１によって生成される楽曲再生情報には、最後に再生された楽曲を特定する特定情報が含まれている場合を想定して説明を行う。
【００６１】
図１０は、楽曲再生を終了する際の音楽再生システムの動作手順を示す流れ図である。音楽再生装置１Ａ内の再生処理部７０は、楽曲再生を行っている際に（ステップ３００）、楽曲再生を終了する旨の操作指示が入力されたか否かを判定する（ステップ３０１）。楽曲再生を終了する旨の操作指示が入力されない間は否定判断が行われ、上述したステップ３００に戻り、楽曲再生が継続される。
【００６２】
楽曲再生を終了する旨の操作指示が入力されると、ステップ３０１で肯定判断が行われ、再生処理部７０は、楽曲再生を終了する。また、楽曲再生情報生成部７１は、楽曲再生情報を生成し、ハードディスク装置１１に格納する（ステップ３０２）。
【００６３】
また、楽曲再生情報生成部７１は、生成した楽曲再生情報を他の音楽再生装置２Ａおよび３Ａに向けて送信する処理を行う（ステップ３０３）。具体的には、楽曲再生情報生成部７１は、生成した楽曲再生情報を通信処理部１８へ出力する。通信処理部１８は、楽曲再生情報生成部７１から受け取った楽曲再生情報をネットワーク５を介して他の音楽再生装置２Ａおよび３Ａへ送信する処理を行う。
【００６４】
ネットワーク５を介して、音楽再生装置１Ａから他の音楽再生装置２Ａ、３Ａに対して楽曲再生情報が送信されると、各音楽再生装置２Ａ、３Ａに含まれる制御部１０は、楽曲再生情報を受信し、これをハードディスク装置１１に格納する（ステップ３０４）。これにより、各音楽再生装置１Ａ、２Ａ、３Ａの間で楽曲再生情報が共有される。
【００６５】
図１１は、楽曲再生情報に基づいて楽曲再生を開始する際の音楽再生システムの動作手順を示す流れ図であり、音楽再生装置２Ａにより行われる動作内容が示されている。
音楽再生装置２Ａ内の楽曲選択部７２は、楽曲再生の開始が指示されたか否かを判定する（ステップ４００）。楽曲再生の開始が指示されない間は否定判断が行われ、ステップ４００の判定が繰り返される。
【００６６】
楽曲再生の開始が指示された場合には、ステップ４００で肯定判断が行われ、楽曲選択部７２は、楽曲再生情報をハードディスク装置１１から読み出し（ステップ４０１）、この楽曲再生情報に含まれる特定情報に基づいて、次の再生順番の楽曲を選択する（ステップ４０２）。
【００６７】
次に、再生処理部７０は、楽曲選択部７２によって選択された楽曲に対応する楽曲データをハードディスク装置１１から読み出して、楽曲再生を開始する（ステップ４０３）。
このように、第３の実施形態の音楽再生システムは、各音楽再生装置１Ａ、２Ａ、３Ａの間をネットワーク５を介して相互接続しているので、楽曲再生情報の共有を容易かつ確実に行うことができる。
【００６８】
なお、上述した第３の実施形態では、各音楽再生装置１Ａ、２Ａ、３Ａに備わったハードディスク装置１１には同じ楽曲データが同じ順番で蓄積されており、最後に再生された楽曲を特定する特定情報を含んだ楽曲再生が共有される場合を想定していたが、各ハードディスク装置１１に蓄積されている楽曲データの内容や格納順番は異なっていてもよい。
【００６９】
この場合には、上述した図１０に示す動作手順において、ステップ３００とステップ３０１の間に、それまでに再生された楽曲を特定する履歴情報を楽曲再生情報生成部７１によって生成する処理を追加するようにし、ステップ３０３においては、履歴情報を含んだ楽曲再生情報を他の音楽再生装置に向けて送信するようにする。また、図１１に示す動作手順において、ステップ４０２に示した処理を省略し、代わりに、楽曲再生情報に含まれる履歴情報に基づいて、他の音楽再生装置において既に再生済みの楽曲と重複しない楽曲を再生処理部７０による次の再生対象として選択する処理を行うようにする。
【００７０】
〔第４の実施形態〕
ところで、上述した第１〜第３の実施形態では、移動体電話４またはネットワーク５を介して楽曲再生情報を共有していたが、搬送可能な記憶デバイスを用いて楽曲再生情報を授受することにより、複数の音楽再生装置の間で楽曲再生情報を共有するようにしてもよい。
【００７１】
図１２は、第４の実施形態の音楽再生システムの構成を示す図である。図１２に示す音楽再生システムは、音楽再生装置１Ｂ、２Ｂ、３Ｂと、搬送可能な記憶デバイスとしてのメモリカード６を含んで構成されている。各音楽再生装置１Ｂ、２Ｂ、３Ｂは、メモリカード６に対してデータの入出力を行うインタフェース部を備えており、メモリカード６を介して楽曲再生情報の授受が行われることにより、各音楽再生装置１Ｂ、２Ｂ、３Ｂの間で楽曲再生情報が共有される。なお、メモリカード６を介して共有される楽曲再生情報は、最後に再生された楽曲に対応する特定情報を含むものであってもよく、それまでに再生された楽曲を特定する履歴情報を含むものであってもよい。
【００７２】
次に、音楽再生装置１Ｂの詳細構成について説明する。図１３は、第４の実施形態の音楽再生装置１Ｂの詳細構成を示す図である。図１３に示すように、音楽再生装置１Ｂは、制御部１０、ハードディスク装置１１、操作部１２、表示部１３、スピーカ１５、入出力インタフェース（Ｉ／Ｆ）部１９を含んで構成されている。なお、他の音楽再生装置２Ｂ、３Ｂも音楽再生装置１Ｂと同様の構成を備えているものとする。
【００７３】
図１３に示す音楽再生装置１Ｂは、上述した第１の実施形態の音楽再生装置１と比較し、無線通信処理部１６およびアンテナ１７を省略し、メモリカード６に対してデータ（楽曲再生情報）の入出力を行うための入出力Ｉ／Ｆ部１９を追加した点が異なっている。入出力Ｉ／Ｆ部１９が入出力手段に対応している。
【００７４】
本実施形態の楽曲再生情報生成部７１は、生成した楽曲再生情報を入出力Ｉ／Ｆ部１９によってメモリカード６に書き込む。また、本実施形態の楽曲選択部７２は、メモリカード６に格納された楽曲再生情報を入出力Ｉ／Ｆ部１９によって読み出して取得し、再生対象となる楽曲の選択を行う。
【００７５】
第４の実施形態の音楽再生システムはこのような構成を有しており、次にその動作について説明する。第４の実施形態の音楽再生システムの動作手順は、基本的に上述した第１の実施形態または第２の実施形態と同様である。
具体的には、利用者が自宅に設置されている音楽再生装置１Ｂを用いた楽曲再生を終了した場合に、楽曲再生情報生成部７１は、生成した楽曲再生情報を入出力Ｉ／Ｆ部１９によってメモリカード６に書き込む。その後、音楽再生装置１Ｂに装填されているメモリカード６が利用者により抜き取られて音楽再生装置２Ｂまたは音楽再生装置３Ｂに装填されると、音楽再生装置２Ｂまたは音楽再生装置３Ｂ内の楽曲選択部７２は、メモリカード６に格納されている楽曲再生情報を入出力Ｉ／Ｆ部１９によって読み出して取得し、再生対象となる楽曲の選択を行う。
【００７６】
このように、搬送可能な記憶デバイスであるメモリカード６を用いることによっても、音楽再生装置１Ｂ、２Ｂ、３Ｂの間で楽曲再生情報を共有することができる。また、ネットワークを介してデータ通信を行って楽曲再生情報を共有する場合に比較して、通信料金などのコスト負担が少ない利点がある。
【００７７】
〔変形例〕
本発明は、上述した各実施形態に限定されるものではなく、本発明の要旨の範囲内においてさらに種々の変形実施が可能である。例えば、上述した第１〜第４の実施形態のいずれかにおいて、再生処理部７０による楽曲再生が終了した時に、楽曲再生情報生成部７１により、再生が中断された楽曲内の中断位置を示す中断位置情報を含んだ楽曲再生情報を生成するようにしてもよい。
【００７８】
図１４は、中断位置情報を含んだ楽曲再生情報に基づいて楽曲再生を開始する際の音楽再生システムの動作手順を部分的に示す流れ図である。この変形例における音楽再生システムの動作手順は、上述した図５に示した動作手順において、ステップ２０３とステップ２０４の間にステップ２２０の処理を追加した点が異なっており、図１４ではこの相違する部分が示されている。
【００７９】
楽曲再生の開始が指示されると、楽曲選択部７２は、楽曲再生情報に含まれる特定情報に基づいて、次の再生順番の楽曲を選択する（ステップ２０３）。
次に、楽曲選択部７２は、楽曲再生情報に含まれる中断位置情報に基づいて、楽曲内での再生開始位置を特定する（ステップ２２０）。
【００８０】
次に、再生処理部７０は、楽曲選択部７２によって選択された楽曲に対応する楽曲データをハードディスク装置１１から読み出し、楽曲選択部７２によって特定された再生開始位置から楽曲再生を開始する（ステップ２０４）。
このように、中断位置情報を楽曲再生情報に含ませておくことにより、特別な操作を行うことなく、以前再生を中断した位置から楽曲再生を再開することが可能となる。この効果は、クラシックなど１曲の演奏時間が長い楽曲を再生している場合に特に有効である。
【００８１】
なお、図１４では、第１の実施形態の動作手順（図５参照）に対してステップ２２０の処理を追加した場合の動作手順が説明されていたが、第２〜第４の実施形態に対してもステップ２２０の処理を追加することができる。例えば、第２の実施形態については、図７に示した動作手順において、ステップ２１０とステップ２０４の間にステップ２２０の処理を追加すればよい。また、第３の実施形態については、図１１に示した動作手順において、ステップ４０２とステップ４０３の間にステップ２２０の処理を追加すればよい。
【００８２】
また、上述した各実施形態のいずれかにおいて、再生処理部７０による楽曲再生が終了した時に、楽曲再生情報生成部７１により、再生処理部７０による再生状態（例えば、イコライザの設定状態など）を示す再生状態情報を含んだ楽曲再生情報を生成するようにしてもよい。
【００８３】
図１５は、再生状態情報を含んだ楽曲再生情報に基づいて楽曲再生を開始する際の音楽再生システムの動作手順を部分的に示す流れ図である。この変形例における音楽再生システムの動作手順は、上述した図５に示した動作手順において、ステップ２０３とステップ２０４の間にステップ２３０の処理を追加した点が異なっており、図１５ではこの相違する部分が示されている。
【００８４】
楽曲再生の開始が指示されると、楽曲選択部７２は、楽曲再生情報に含まれる特定情報に基づいて、次の再生順番の楽曲を選択する（ステップ２０３）。
次に、再生処理部７０は、楽曲再生情報に含まれる再生状態情報に基づいて、再生状態を設定する（ステップ２３０）。
【００８５】
次に、再生処理部７０は、楽曲選択部７２によって選択された楽曲に対応する楽曲データをハードディスク装置１１から読み出して、楽曲再生を開始する（ステップ２０４）。
このように、楽曲再生情報に対して再生状態情報を含ませておくことにより、イコライザの設定など、再生状態の設定を各音楽再生装置１、２、３のそれぞれに対して個別に行う煩雑な操作を省き、操作性を向上させることが可能であるという利点がある。
【００８６】
なお、図１５では、第１の実施形態の動作手順（図５参照）に対してステップ２３０の処理を追加した場合の動作手順が説明されていたが、第２〜第４の実施形態に対してもステップ２３０の処理を追加することができる。例えば、第２の実施形態については、図７に示した動作手順において、ステップ２１０とステップ２０４の間にステップ２３０の処理を追加すればよい。また、第３の実施形態については、図１１に示した動作手順において、ステップ４０２とステップ４０３の間にステップ２３０の処理を追加すればよい。
【００８７】
上述した第１および第２の実施形態では、利用者によって楽曲再生を終了する旨の操作指示が行われた際に楽曲再生情報を移動体電話４に送信していたが、利用者による操作指示の有無によらず、所定のタイミング（例えば、再生処理部７０により１曲分の楽曲再生が終了する毎）で移動体電話４に対して楽曲再生情報を送信してもよい。同様に、第３の実施形態では、利用者による操作指示（楽曲再生を終了する旨の操作指示）の有無によらず、所定のタイミングで、ネットワーク５を介して他の音楽再生装置に対する楽曲再生情報の送信を行ってもよい。同様に、第４の実施形態では、利用者による操作指示（楽曲再生を終了する旨の操作指示）の有無によらず、所定のタイミングでメモリカード６に対して楽曲再生情報を書き込む処理を行ってもよい。
【００８８】
上述した第１および第２の実施形態では、携帯端末装置の一例として移動体電話４を用いていたが、移動体電話以外の携帯端末装置を用いて、各音楽再生装置１、２、３の間で楽曲再生情報を共有させるようにしてもよい。具体的には、携帯端末装置として、無線通信機能を備えたＰＤＡ（Personal Digital Assistants ）等の情報端末装置を用いるようにしてもよい。また、携帯端末装置として、非接触型のＩＣカード等を用いるようにしてもよい。この場合には、各音楽再生装置１、２、３のそれぞれに対して、ＩＣカードに対するデータの書き込みや読み出しを行うためのインタフェース部を設けるようにすればよい。
【００８９】
上述した第１および第２の実施形態では、ブルートゥースと称される無線通信規格を用いて、各音楽再生装置１、２、３のそれぞれと移動体電話４との間で楽曲再生情報の送受を行っていたが、他の通信規格、例えば、赤外線を伝送媒体として通信を行うＩｒＤＡ（Infrared Data Assocication）規格などを用いてもよい。
【００９０】
上述した第３の実施形態では、ネットワーク５を介して、各音楽再生装置１Ａ、２Ａ、３Ａの間で楽曲再生情報を共有していたが、ネットワーク５を介して、音楽再生装置１Ａ、２Ａ、３Ａのそれぞれに備わったハードディスク装置１１に格納される楽曲データの内容も共有するようにしてもよい。この場合には、一の音楽再生装置（例えば、音楽再生装置１）に備わったハードディスク装置１１に格納される楽曲データの内容が変更された際に、音楽再生装置１がネットワーク５を介して他の音楽再生装置２、３に新しい内容の楽曲データを送信し、この送信された楽曲データを用いて、音楽再生装置２、３は、自装置に備わったハードディスク装置１１に格納される楽曲データを更新すればよい。
【００９１】
上述した第１〜第４の実施形態では、音楽再生装置は、ハードディスク装置を備えたパーソナルコンピュータや車載用コンピュータなどを用いて所定の動作プログラムを実行することにより実現されていたが、音楽再生装置の実現形態はこれに限定されるものではなく、音楽再生専用に用いられる装置（いわゆるオーディオ装置）として音楽再生装置が実現されていてもよい。
【００９２】
上述した第１〜第４の実施形態では、各音楽再生装置は、ハードディスク装置を用いて楽曲データを蓄積していたが、他の記録媒体を用いて楽曲データを蓄積するようにしてもよい。例えば、データ書き込みが可能なＣＤ−Ｒ（CD-Recordable ）、ＣＤ−ＲＷ（CD-ReWritable ）、ＤＶＤ−ＲＡＭなどのディスク型記録媒体を用いて楽曲データを蓄積してもよく、容量の大きな半導体メモリなどを用いて楽曲データを蓄積してもよい。
【００９３】
【発明の効果】
上述したように、本発明によれば、再生終了時における楽曲の再生順番を示す楽曲再生情報が自装置と他装置との間で共有されるようになっており、この共有される楽曲再生情報に基づいて次に再生される楽曲が選択されるので、煩雑な操作を行うことなく、再生済みの楽曲を重複させずに楽曲再生を行うことができる。
【図面の簡単な説明】
【図１】第１の実施形態の音楽再生システムの構成を示す図である。
【図２】第１の実施形態の音楽再生装置の詳細構成を示す図である。
【図３】移動体電話の詳細構成を示す図である。
【図４】楽曲再生を終了する際の音楽再生システムの動作手順を示す流れ図である。
【図５】楽曲再生情報に基づいて楽曲再生を開始する際の音楽再生システムの動作手順を示す流れ図である。
【図６】楽曲再生を終了する際の音楽再生システムの動作手順を示す流れ図である。
【図７】楽曲再生情報に基づいて楽曲再生を開始する際の音楽再生システムの動作手順を示す流れ図である。
【図８】第３の実施形態の音楽再生システムの構成を示す図である。
【図９】第３の実施形態の音楽再生装置の詳細構成を示す図である。
【図１０】
楽曲再生を終了する際の音楽再生システムの動作手順を示す流れ図である。
【図１１】楽曲再生情報に基づいて楽曲再生を開始する際の音楽再生システムの動作手順を示す流れ図である。
【図１２】第４の実施形態の音楽再生システムの構成を示す図である。
【図１３】第４の実施形態の音楽再生装置の詳細構成を示す図である。
【図１４】中断位置情報を含んだ楽曲再生情報に基づいて楽曲再生を開始する際の音楽再生システムの動作手順を部分的に示す流れ図である。
【図１５】再生状態情報を含んだ楽曲再生情報に基づいて楽曲再生を開始する際の音楽再生システムの動作手順を部分的に示す流れ図である。
【符号の説明】
１、１Ａ、１Ｂ、２、２Ａ、２Ｂ、３、３Ａ、３Ｂ  音楽再生装置
４  移動体電話
５  ネットワーク
６  メモリカード
１０、４０  制御部
１１  ハードディスク（ＨＤ）装置
１６、４６  無線通信処理部
１７、４７  アンテナ
１８  通信処理部
１９  入出力インタフェース（Ｉ／Ｆ）部
４５  メモリ
７０  再生処理部
７１  楽曲再生情報生成部
７２  楽曲選択部
８０  楽曲再生情報管理部
【図１】
0003756799.tif 000002
【図２】
0003756799.tif 000003
【図３】
0003756799.tif 000004
【図４】
0003756799.tif 000005
【図５】
0003756799.tif 000006
【図６】
0003756799.tif 000007
【図７】
0003756799.tif 000008
【図８】
0003756799.tif 000009
【図９】
0003756799.tif 000010
【図１０】
0003756799.tif 000011
【図１１】
0003756799.tif 000012
【図１２】
0003756799.tif 000013
【図１３】
0003756799.tif 000014
【図１４】
0003756799.tif 000015
【図１５】
0003756799.tif 000016